(57)【要約】      （修正有）【課題】伸縮筒体の内筒体に対する上下へのスライドを実現し、異なる長さのゴルフクラブを放置できるように高さの変化を実現できるゴルフバッグを提供する。【解決手段】伸縮ネック付きゴルフバッグは、外袋体と、内筒体とを含み、外袋体の下端には放置スタンドが設けられ、外袋体の周側には側袋が設けられ、外袋体の周側の上側には取っ手が設けられ、内筒体２は柱状を呈しており、内筒体の内側には伸縮筒体１がさらに設けられ、内筒体又は伸縮筒体には中央にストリップ状のスライドスロットを持つスライドバー５が取り付けられ、伸縮筒体又は内筒体にはスライドファスナー６及びスライドネイルスタンドが対応して取り付けられ、スライドファスナーはスライドスロットを突き抜けると共にスライドネイルスタンドにねじ込み接続されている。【選択図】図３
0003208512.tif 000002
【実用新案登録請求の範囲】
【請求項１】
外袋体と、内筒体とを含み、外袋体の下端には放置スタンドが設けられ、外袋体の周側には側袋が設けられ、外袋体の周側の上側には取っ手が設けられた伸縮ネック付きゴルフバッグにおいて、内筒体は柱状を呈しており、内筒体の内側には伸縮筒体がさらに設けられ、内筒体又は伸縮筒体には中央にストリップ状のスライドスロットを持つスライドバーが取り付けられ、伸縮筒体又は内筒体にはスライドファスナー及びスライドネイルスタンドが対応して取り付けられ、スライドファスナーはスライドスロットを突き抜けると共にスライドネイルスタンドにねじ込み接続されることを特徴とする伸縮ネック付きゴルフバッグ。
【請求項２】
前記スライドバーは、内筒体に取り付けられ、スライドネイルスタンドは、伸縮筒体に取り付けられていることを特徴とする請求項１に記載の伸縮ネック付きゴルフバッグ。
【請求項３】
前記スライドバー、スライドファスナー及びスライドネイルスタンドは、２〜４組設けられていることを特徴とする請求項１に記載の伸縮ネック付きゴルフバッグ。
【請求項４】
前記スライドバー、スライドファスナー及びスライドネイルスタンドは、２組設けられていることを特徴とする請求項３に記載の伸縮ネック付きゴルフバッグ。
【請求項５】
前記内筒体の底端には、「凵」字形の実装スタンドが実装して設けられ、実装スタンドは、内筒体を外袋体の底部に固定すると共に、放置スタンドに固定されることを特徴とする請求項４に記載の伸縮ネック付きゴルフバッグ。
【請求項６】
前記スライドバーは、金属板を用いてプレス成型されていることを特徴とする請求項１〜５のいずれか１項に記載の伸縮ネック付きゴルフバッグ。
【考案の詳細な説明】
【技術分野】
【０００１】
本考案は、ゴルフバッグに関し、具体的に、高さの変更可能なゴルフバッグに関するものである。
【背景技術】
【０００２】
現在、市場における従来のゴルフバッグは、その高さが固定され、変えることができなく、実際の使用要求を満たすことができなかった。ゴルフクラブについて、クラブは、ヘッドと、シャフトと、グリップとの３つの部分からなり、その長さは約０．９１〜１．２９ｍとの間である。飛距離の異なる需要に応じて、選手毎に最高で１４本の各種類のクラブをゴルフ場に持ち込むことができ、これらの１４本のクラブは、一般に、４本のウッドと、９本のアイアンと、１本のパターとの組み合わせが適宜である。勿論、選手は自分の需要に応じて、よく使われる幾つかタイプのゴルフクラブを選択し、もし選手がほとんどの比較的に短いクラブを選ぶと、高すぎたゴルフバッグの適用性が悪かったため、様々な異なる長さのゴルフクラブがいずれもよく適用できる適宜なゴルフバッグを開発することが、ゴルフバッグ設計の１つの課題となった。
【考案の概要】
【考案が解決しようとする課題】
【０００３】
そこで、本考案は、上記の問題に対し、伸縮ネック付きゴルフバッグを提供している。
【課題を解決するための手段】
【０００４】
伸縮ネック付きゴルフバッグであって、外袋体と、内筒体とを含み、外袋体の下端には放置スタンドが設けられ、外袋体の周側には側袋が設けられ、外袋体の周側の上側には取っ手が設けられ、内筒体は柱状を呈しており、内筒体の内側には伸縮筒体がさらに設けられ、内筒体又は伸縮筒体には中央にストリップ状のスライドスロットを持つスライドバーが取り付けられ、伸縮筒体又は内筒体にはスライドファスナー及びスライドネイルスタンドが対応して取り付けられ、スライドファスナーはスライドスロットを突き抜けると共にスライドネイルスタンドにねじ込み接続されている。 
また、好ましい態様として、前記スライドバーは、内筒体に取り付けられ、スライドネイルスタンドは、伸縮筒体に取り付けられている。
また、１つの好ましい態様として、前記スライドバー、スライドファスナー及びスライドネイルスタンドは、２〜４組設けられている。
さらに、好ましい態様として、前記スライドバー、スライドファスナー及びスライドネイルスタンドは、２組設けられている。
また、１つの好ましい態様として、前記内筒体の底端には、「凵」字形の実装スタンドが実装して設けられ、実装スタンドは、内筒体を外袋体の底部に固定すると共に放置スタンドに固定される。
さらに、１つの好ましい態様として、前記スライドバーは、金属板を用いてプレス成型されている。
【考案の効果】
【０００５】
本考案は、スライドバー、スライドファスナー及びスライドネイルスタンドにより、スライドファスナーがスライドバーのスライドスロットを突き抜くと共に、スライドネイルスタンドにねじ込み接続されることで、スライドファスナーをスライドスロット内で上下にスライドさせ、これにより、伸縮筒体の内筒体に対する上下へのスライドを実現し、異なる長さのゴルフクラブを放置できるようにゴルフバッグの高さの変化を実現し、ユーザの多様なニーズを満足するとの有益な効果がある。
【図面の簡単な説明】
【０００６】
【図１】本考案のスライドバー、スライドファスナー及びスライドネイルスタンドの構成図である。
【図２】本考案のスライドバーと伸縮筒体の構成図である。
【図３】本考案の内桶体と伸縮筒体の取り付けられ模式図である。
【図４】本考案の立体図である。
【考案を実施するための形態】
【０００７】
以下、本考案の具体的な実施の形態について、図面を参照しながらより詳しく説明する。
図４に示すように、この伸縮ネック付きゴルフバッグは、外袋体３と、内筒体２とを含み、外袋体３の下端には、ゴルフバッグを地面に放置するための放置スタンド４が設けられ、外袋体３の周側には、ゴルフボールや他の小物体を収納するための側袋が設けられ、外袋体３の周側の上側には、便利に携帯できるように取っ手が設けられている。
図１〜３に示すように、内筒体２は、柱状を呈しており、内筒体２の内側には伸縮筒体１がさらに設けられている。内筒体２に、中央にストリップ状のスライドスロット５１を持つスライドバー５が取り付けられると、伸縮筒体１にはスライドファスナー６及びスライドネイルスタンド７が対応して取り付けられ、伸縮筒体１に、中央にストリップ状のスライドスロット５１を持つスライドバー５が取り付けられると、内筒体２にはスライドファスナー６及びスライドネイルスタンド７が対応して取り付けられる。つまり、スライドバー５は内筒体２又は伸縮筒体１に取り付けることができ、対応するスライドファスナー６及びスライドネイルスタンド７は伸縮筒体１又は内筒体２に取り付けるようになる。ただし、スライドバー５をどの部材に取り付けても、スライドファスナー６はスライドバー５のスライドスロット５１を突き抜けると共にスライドネイルスタンド７にねじ込み接続されることになる。スライドファスナー６は、スライドスロット５１内でスライドすることで、伸縮筒体１の内筒体２に対する上下へのスライドを実現する。
具体的に、スライドバー、スライドファスナー及びスライドネイルスタンドは、２〜４組設けてもよい。図３に示すように、スライドバー５、スライドファスナー６及びスライドネイルスタンド７は２組設けており、スライドバー５は鉄板を用いてプレス成型され、スライドバー５は内筒体２に取り付けられ、スライドネイルスタンド７は伸縮筒体１に取り付けられ、スライドファスナー６はスライドバー５のスライドスロット５１を突き抜け、スライドファスナー６はスライドスロット５１内で自由にスライドでき、スライドバー５及びスライドネイルスタンド７は、相対的スライドを発生でき、これにより、伸縮筒体１の内筒体２に対する上下へのスライドを実現する。
図３に示すように、内筒体２の底端には、「凵」字形の実装スタンド８が実装して設けられ、実装スタンド８には固定孔が設けられ、内筒体２は実装スタンド８によって外袋体３の底部に固定すると共に、放置スタンド４に固定される。
本考案の動作原理として、スライドバー５は内筒体２に取り付けられ、スライドネイルスタンド７は伸縮筒体１に取り付けられ、スライドバー５の中央にはストリップ状のスライドスロット５１が設けられ、スライドネイルスタンド７はスライドファスナー６とねじ込み接続され、スライドファスナー６はストリップ状のスライドスロット５１を突き抜けると共に上下へスライドでき、これによって、それと接続された内筒体２を動かし、スライドネイルスタンド７は上下へスライドでき、異なる長さのゴルフクラブを放置できるようにゴルフバッグの高さの変化を実現し、また、構成が合理で、使いやすくて、ユーザの多様なニーズを満足するようになる。
【図１】
0003208512.tif 000003
【図２】
0003208512.tif 000004
【図３】
0003208512.tif 000005
【図４】
0003208512.tif 000006